(57)【要約】      （修正有）【課題】補修後のマンホール内で恒久的に安全に使用でき、マンホール内壁を構成する補修用ライナーを傷付けることなく簡単に設置することができるマンホール昇降手段を提供する。【解決手段】ほぼ垂直に立設されたマンホールの内壁の補修後に、マンホール内に新たに設置される昇降手段であって、リング形状を有し、少なくともマンホール１０の内径よりも大きくなる様に拡径可能な剛性を有する部材を拡径させ、ゴム部材１７を介在させてマンホールの内壁に付勢力を付加した状態で取り付けられる固定用部材１２と、少なくとも固定用部材からマンホール底部にわたる長さを有し、下端部は昇降時の荷重がマンホール底部に掛かるようにマンホール底部上に設置され、上部は固定用部材に固定される梯子１４と、を有する。【選択図】図７
0003231674.tif 000002
【実用新案登録請求の範囲】
【請求項１】
ほぼ垂直に立設されたマンホールの内壁の補修後に、該マンホール内に新たに設置される昇降手段であって、
リング形状を有し、少なくとも前記マンホールの内径よりも大きくなる様に拡径可能で剛性を有する固定用部材を拡径させて前記マンホールの内壁に付勢力を付加した状態で取り付けられる固定用部材と、
少なくとも前記固定用部材から前記マンホール底部にわたる長さを有し、下端部は昇降時の荷重が前記マンホール底部に掛かるように前記マンホール底部上に設置され、上部は前記固定用部材に固定される梯子と、を有することを特徴とするマンホール昇降手段。
【請求項２】
前記固定用部材と前記マンホールの内壁との間に緩衝部材が配置されたことを特徴とする請求項１に記載のマンホール昇降手段。
【請求項３】
前記緩衝部材は、前記リング状の固定用部材の全周にわたって前記マンホールの内壁との間に介在設置されたベルト状のゴム部材にて構成されたことを特徴とする請求項２に記載のマンホール昇降手段。
【考案の詳細な説明】
【技術分野】
【０００１】
本考案は、マンホール昇降手段、特に補修が終了したマンホール内に新たに梯子を設置するマンホール昇降手段に関する。
【背景技術】
【０００２】
マンホールは、地下の下水道管路、暗渠、埋設された電気通信ケーブルなどの点検、管理、補修等を目的として、地上から作業員が出入りできるように地面に設けられた縦孔であり、上部には蓋が被せられる。マンホールの底部は、例えば、下水道管路を繋ぐマンホールにおいては、マンホールの下部に下水が滞留せずに下流側の下水道管路へ円滑に流れるようにインバートが形成されている。マンホールは長年の使用により、内壁に亀裂や損傷が発生し、定期的に内壁などの補修をすることが求められる。
【０００３】
図９は、補修前のマンホールの様子を示す。底部のインバート５４の部分、及びマンホールに接続されている管路５６、５６は撤去して示している。マンホール５０の内壁には作業員が昇降するためのステップ（足掛け金物）５２が所定の間隔で埋設或いは打ち込まれている。長年の使用によりステップ５２が一部抜け落ちることもある。マンホール５０の内壁には亀裂５８等も見られる。
【０００４】
マンホール５０の補修は、上述のステップ５２を全て取り除いた状態で行う必要が有り、すなわち、マンホール５０内には補修用の更生材（ＦＲＰライナー）が導入され、これを拡径させてマンホール５０の内壁に密着させて硬化させる等の方法により行われる。
【０００５】
これまでは、補修が終わったマンホールへの作業員が昇降するためのステップや梯子の設置は、これらを安定して設置するためには補修後のマンホールの内壁にステップ金具などを打ち込んで行われていた。しかし、この様な設置では、折角シームレスの補修用のライナーが設置されたにもかかわらず、穴が形成されている状況がある。その場合、その穴から下水や雨水が侵入する等の不具合が発生していた。その様な不具合は経年により地中に空洞を形成するなどの問題を生じさせる怖れが有る。したがって、補修用のライナーを傷付けることなく、且つ容易に梯子を設置できる昇降手段、すなわち梯子が望まれていた。
【０００６】
特許文献１は、水力発電用の水圧鉄管や河川の伏越配管等のような勾配のある管路内に、一時的な作業のために設置する作業用の足場について開示している。この足場は、勾配のある管路の下側の内壁に沿って配置された梯子に連結して設けられている。梯子の上端と下端には円環状の内面バンドが取り付けられており、この内面バンドの内側に梯子の上部と下部が取り付け固定されている。この内面バンドは管路の内壁に当接するように配置される。管路内では、梯子が撓まないように補強治具が梯子の長手方向に梯子と管路の内壁の間に複数設けられる。すなわち、梯子の下端部は内面バンドに固定され昇降時の荷重は内面バンドにて分散して受けられている。
【０００７】
作業者は、この梯子を使って勾配のある管路内を移動し、足場を使って作業を行う。作業が終了したら、この足場は梯子とともに撤去される。
【先行技術文献】
【特許文献】
【０００８】
【特許文献１】特許第６６０５１６８号公報
【考案の概要】
【考案が解決しようとする課題】
【０００９】
特許文献１で開示された技術は、勾配の有る管路内への梯子を設置するものであり、梯子は管路の勾配に対してほぼ平行になる様に設置されており、作業者が作業を完了するまでの一時的な設置を想定している。本願発明はマンホールへの設置であり、マンホール内壁は垂直に立ち上がっている。したがって、特許文献１の構成を適用する場合、梯子を取り付けた内面バンドのみでマンホールの内壁に固定することから恒久的な使用には耐えられないものと考えられる。すなわち、梯子の上下に取り付けられた内面バンドのみで梯子を長期間支えることは無理があり、内面バンドが経年により緩みマンホールの下部側へずり落ちる恐れがある。したがって、特許文献１に開示された梯子は、マンホール内で恒久的に安全に使用できるものではない。
【００１０】
本考案は、上記課題に鑑みてなされたものであり、その目的は、補修後のマンホール内で恒久的に安全に使用でき、マンホール内壁を構成する補修用ライナーを傷付けることなく簡単に設置することができるマンホール昇降手段を提供することにある。
【課題を解決するための手段】
【００１１】
上記の目的を達成するため、請求項１に記載のマンホール昇降手段は、
ほぼ垂直に立設されたマンホールの内壁の補修後に、該マンホール内に新たに設置される昇降手段であって、
リング形状を有し、少なくとも前記マンホールの内径よりも大きくなる様に拡径可能で剛性を有する固定用部材を拡径させて前記マンホールの内壁に付勢力を付加した状態で取り付けられる固定用部材と、少なくとも前記固定用部材から前記マンホール底部にわたる長さを有し、下端部は昇降時の荷重が前記マンホール底部に掛かるように前記マンホール底部上に設置され、上部は前記固定用部材に固定される梯子と、を有することを特徴とする。
【００１２】
この構成により、梯子の上部が取付け固定されるリング状の固定用部材は、マンホールの上部位置で補修後の内壁、すなわち設置されたライナーの内壁面に対して拡径されて付勢力が付加されて固定される。すなわち、固定用部材はライナーの内壁面に密接に設置される。そして、梯子の下端部はマンホールの底部に設置されるので、昇降時に梯子に掛かる荷重はマンホールの底部でしっかりと受け止められる。したがって、梯子の上部の保持は、傾斜方向の動きだけを規制すれば足り、剛性を有する固定用部材に取付けることで、安定設定が可能である。すなわち、取り付けられた梯子に掛けられた荷重によってライナーの内壁から離反する方向への動きはしっかり規制される。したがって、補修後のライナー内壁に損傷を与えることなく、梯子を簡単且つ強固に設置することができると共に長期に亘り安定した設置状態が保たれる。
【００１３】
請求項２に記載のマンホール昇降手段は、請求項１に記載のマンホール昇降手段において、
前記固定用部材と前記マンホールの内壁との間に緩衝部材が配置されたことを特徴とする。
【００１４】
この構成により、昇降時に梯子に生じる振動や衝撃はこの緩衝部材で吸収されることから、梯子の取付け状態の安定性だけでなく、昇降時の作業者の作業の安定性も確保される。
【００１５】
請求項３に記載のマンホール昇降手段は、請求項２に記載のマンホール昇降手段において、
前記緩衝部材は、前記リング状の固定用部材の全周にわたって前記マンホールの内壁との間に介在設置されたベルト状のゴム部材にて構成されたことを特徴とする。
【００１６】
これによれば、簡単且つ安価に緩衝部材を構成することができ、また、請求項２の作用に加えて、固定用部材の取付け後の位置ずれの抑制を的確に行うことができる。
【考案の効果】
【００１７】
本考案のマンホール昇降手段によれば、補修が終了したマンホール内に剛性を有するリング状の固定用部材が拡径して取り付けられ、梯子は下端部がマンホールの底部に設置された状態で、その上部が固定用部材に固定されるので、梯子への荷重は的確にマンホールの底部にて受け止められると共にマンホール内壁から離れる方向の動きはしっかりと制止される。また、昇降手段の取付けはマンホール内壁自体ではなく、固定用部材に対して行われるので補修が終わったマンホールの内壁の補修用の更生材を損傷することもない。したがって、マンホールの防水性能を低下させることなく、梯子の長期間の安定設置が達成される。
【図面の簡単な説明】
【００１８】
【図１】本考案のマンホール昇降手段の設置方法のフロー図である。
【図２】本考案のマンホール昇降手段に係り、固定用部材の取り付け状態の説明図である。
【図３】固定用部材の拡径部の詳細図である。
【図４】固定用部材を構成する部材の一方の端部の詳細図である。図４（ａ）は正面図、図４（ｂ）は上面図である。
【図５】固定用部材を構成する部材の他方の端部の詳細図である。図５（ａ）は正面図、図５（ｂ）は上面図である。
【図６】固定用部材の他の実施の形態を示す。
【図７】本考案のマンホール昇降手段に係り、梯子の取り付けが終了したマンホールの概略斜視図である。
【図８】本考案のマンホール昇降手段に係り、梯子の取り付けが終了したマンホールの一部断面概略側面図である。
【図９】補修が必要なマンホールの一部断面概略側面図である。
【考案を実施するための形態】
【００１９】
以下、本考案のマンホール昇降手段の実施の形態について、図面を参照しながら詳述する。
【００２０】
図１は、本考案のマンホール昇降手段の設置方法のフロー図である。マンホールは、例えばライナー工法により補修用のＦＲＰライナーがマンホールの内壁に密着して硬化され、補修が終了しているものとする。
【００２１】
設置方法のフローは、まず、梯子の上部を固定する固定用部材を補修が終了したマンホールの上部の所定高さ位置に拡径して固定する（リング部材取付工程：ステップＳ１０）。この固定用部材は、リング形状を有し、少なくともマンホールの内径よりも大きくなる様に拡径可能な剛性を有するものである。次に、マンホール内に設置する梯子をマンホール内に搬入する（梯子搬入工程：ステップＳ１１）。梯子は、固定用部材からマンホール底部にわたるが長さを有するものである。次いで、梯子の下端部を昇降時の荷重がマンホール底部に掛かるようにマンホール底部上に設置する（梯子下端部設置工程：ステップＳ１２）。最後に、梯子の上部を固定用部材に固定する（梯子上部固定工程：ステップＳ１３）。以下、固定用部材と各フローについて説明する。
【００２２】
図２は、マンホールの上部に固定用部材を拡径して固定した様子を示す。図３は、固定用部材の拡径部の詳細図、図４は、固定用部材を構成する部材の一方の端部の詳細図、図５は、固定用部材を構成する部材の他方の端部の詳細図を示す。
【００２３】
固定用部材１２は、２枚の平板状の構成部材１８からなり、それぞれの端部を組み合わせ、ねじ止め固定できるようになっている。構成部材１８の一方の端部には、２つの調整孔２６と反力ピース固定用螺子穴２８、２８がそれぞれ形成されている。構成部材１８の他方の端部には、別の部材１８の一方の端部の調整孔２６に挿入され、所定の拡径状態で構成部材１８と構成部材１８を固定するための２つのボルト螺子２０がそれぞれ突出して設けられている。固定用部材１２の調整可能な径は、構成部材１８の調整孔２６の長手方向の長さにより決まる。また、構成部材１８の他方の端部には、反力ピースの固定用螺子孔２２、２２が形成されている。
【００２４】
構成部材１８に取り付けられる反力ピース３２、３２は、それぞれ２つのボルト３０、３０により、反力ピース固定用螺子孔２８、２８及び２２、２２に固定される。固定用リング部材１２の径を調整するには、この反力ピース３２を用いて行うことができる。反力ピース３２、３２を図３に示す矢印Ｒの方向に広げると、固定用部材１２の径が拡がる。
【００２５】
本実施の形態では、径の調整ができる部分が２か所ある。すなわち、部材１８の端部に調整孔２６、２６が設けられており、これにもう一つの構成部材１８の他方の端部のボルト螺子２０、２０が螺合されるように構成されている。この２枚の構成部材１８を組み合わせた固定用部材１２を、マンホールに取り付ける場合は、一方の径の調整できる箇所においてはナット２７、２７をボルト螺子２０、２０に螺合して固く締め、他方の径を調整できる箇所においてはナット２７、２７とボルト螺子２０、２０を螺合して緩く締め、径の調整が可能な状態にしておく。
【００２６】
固定用リング部材１２には、梯子を取り付け固定することが可能な梯子取付部１３、１３が、例えば一方又は他方の部材１８に溶接して設けられている。梯子は、この梯子取付部１３、１３の間に嵌り、外側から例えばボルトにより固定される。
【００２７】
図６は、固定部材の他の実施の形態を示す。固定用部材は、２枚の平板状の構成部材４２、４２からなり、それぞれの端部に折り返し部４４、４４が形成されている。２枚の構成部材４２、４２をリング状に合わせ、端部をボルト４６、４８で締結することによりリング状の固定部材が形成される。一方のボルトは時計方向に回転すると２つの部材が接近するように、他方のボルトは時計方向に回転すると２つの部材が離反するように構成されている。この２つのボルトによりリングの径が調整できるようになっている。なお、梯子取付部は図示を省略している。
【００２８】
固定用部材取付工程（ステップＳ１０）について説明する。まず、２つの構成部材１８をマンホール１０内に搬入する。次に、２つの構成部材１８の端部同士を組み合わせ、反力ピース３２をボルト３０により取り付ける。組み合わせたときに、一方の構成部材１８のボルト螺子２０、２０は他方の構成部材１８の調整孔２６、２６に嵌合しナット２７が螺合されるが、径の調整は１か所で行うように、一方の調整可能な箇所では、ボルト螺子２０、２０とナット２７、２７を螺合して固く締め、他方の調整可能な箇所では、ボルト螺子２０、２０とナット２７、２７を螺合して緩く締めておく。この状態では、２つの部材１８は組み合わされ、リング状になっており、少なくともマンホールの内径よりも小さくなっているが、拡径可能な状態である。なお、上記の作業は、マンホールの外で行い、組み合わせたものをマンホール内に搬入しても良い。
【００２９】
次に、リング形状の固定用部材１２を、マンホールの上部の取り付け位置に合わせ、緩衝部材としてのゴム部材１７を固定用リング部材１２とマンホール１０の内壁との間に挟めて、反力ピース３２を矢印Ｒの方向に動かし、マンホール１０の内壁とゴム部材１７と固定用リング部材１２とをそれぞれ隙間なく密着させ、ボルト螺子２０、２０に螺合するナット２７、２７を増締めする。すると、固定用リング部材１２は、拡径状態で、すなわちマンホール１０の内壁に付勢力を印加しながらマンホール１０の内壁に固定される。
【００３０】
緩衝部材としてのゴム部材１７は、リング状の固定用部材１２の全周にわたってマンホール１０の内壁との間に介在設置されており、昇降時に梯子に生じる振動や衝撃はこのゴム部材１７で吸収されることから、梯子の取付け状態の安定性だけでなく、昇降時の作業者の作業の安定性も確保される。またゴム部材１７により簡単且つ安価に緩衝部材を構成することができ、固定用部材１２の取付け後の位置ずれの抑制を的確に行うことができる。
【００３１】
固定用部材１２をマンホールの上部に拡径して固定した後、梯子１４をマンホール１０内に搬入する（梯子搬入工程：ステップＳ１１）。そして、梯子１４の下端部を昇降時の荷重がマンホール１０のインバート（底部）１６に掛かるようにマンホール１０のインバート（底部）１６上に設置する（梯子下端部設置工程：ステップＳ１２）。
【００３２】
次に、梯子１４の上部を、固定用部材１２の梯子取付部１３に固定する（梯子上部固定工程：ステップＳ１３）。前述のように、梯子１４は、梯子取り付け部１３、１３の間に嵌り、外側からボルトにより固定される。
【００３３】
図７は、梯子１４の設置が終了した後のマンホール１０の上部から見た概略斜視図であり、図８は、マンホール１０の一部断面概略側面図を示す。固定用部材１２は、マンホール１０の所定の上部高さ位置で補修用のライナーの上から拡径して固定されている。固定用部材１２とマンホール１０の内径との間にはゴム部材１７が装着されている。
【００３４】
梯子１４の下端部は、インバート１６上に設置され、本実施の形態ではさらに安定を図るため、梯子１４の下端部をボルト１５により固定している。
【００３５】
これにより、取り付けられた梯子４０が、印加された荷重によってマンホール１０の内壁から離反する方向へ動こうとする状況においては、しっかりと固定保持される。また、梯子４０の下部はマンホール１０の底部に取り付けられるので非常に安定した取り付け状態が確保される。したがって、補修用のライナーに損傷を与えることなく、梯子４０を簡単且つ強固に設置することができると共に長期に亘り安定した設置状態が保たれる。
【００３６】
本実施の形態のマンホール昇降手段によれば、補修が終了したマンホール内に剛性を有するリング状の固定用部材が拡径して取り付けられ、梯子は下端部がマンホールの底部に設置された状態で、その上部が固定用部材に固定されるので、梯子への荷重は的確にマンホールの底部にて受け止められると共にマンホール内壁から離れる方向の動きはしっかりと制止される。また、昇降手段の取付けはマンホール内壁自体ではなく、固定用部材に対して行われるので補修が終わったマンホールの内壁の補修用の更生材を損傷することもない。したがって、マンホールの防水性能を低下させることなく、梯子の長期間の安定設置が達成される。
【００３７】
なお、本発明は、上記の実施の形態に限定されるものではなく、本発明の趣旨を逸脱しない範囲で種々の変更が可能である。例えば、固定用部材１２は２部材で構成したが、１部材で構成しても良い。また、梯子１４の下端部はボルト１５により固定したが、安全を確保できればボルト固定せずに、マンホール１０の底部に梯子１４の下端部が設置された状態でもよい。
【００３８】
また、固定用部材は、拡径した状態でマンホールの内壁に固定され、梯子が取り付けられるが、梯子を取り付けた後は、マンホールの内壁への付勢力を解除しても良い。すなわち、マンホールの内壁への付勢力がなくても、梯子１４が取り付けられているので、固定用部材１２は動くことがなく、梯子１４も倒れることはない。
【符号の説明】
【００３９】
１０  補修が終了したマンホール
１２  固定用部材
１３  梯子取付部
１４  梯子（昇降手段）
１５  ボルト
１７  ゴム部材（緩衝部材）
１８、４２  構成部材
２０  ボルト螺子
２２、２８  反力ピース固定用螺子孔
２６  調整孔
２７  ナット
３０  ボルト
４４  折り返し部
３２  反力ピース
５０  補修の必要なマンホール
５２  ステップ（足掛け金物）
５４  インバート（底部）
５６  下水道管路取り付け孔
５８  亀裂 
【図１】
0003231674.tif 000003
【図２】
0003231674.tif 000004
【図３】
0003231674.tif 000005
【図４】
0003231674.tif 000006
【図５】
0003231674.tif 000007
【図６】
0003231674.tif 000008
【図７】
0003231674.tif 000009
【図８】
0003231674.tif 000010
【図９】
0003231674.tif 000011